(57)【要約】【課題】イメージセンサの初期位置の検出とシェーディングを行うために必要な部品を簡素化し、かつ装置自体の副走査方向の小型化を図ることが可能な画像読取装置の提供。【解決手段】透明なプラテンガラス３上に置かれた原稿を、プラテンガラス３の裏面に配置された画像読み取り用のイメージセンサにより読み取る画像読取装置において、プラテンガラス３の上面に白シェーディング用の帯状の白色板４が配置され、白色板４の幅方向の一部が、白色板４よりも幅の狭い帯状の黒色両面粘着テープ６によりプラテンガラス３に接着されたことを特徴とする画像読取装置であり、白色板４によりシェーディングを行うことができるとともに、この白色板４をプラテンガラス３に接着している黒色両面粘着テープ６をイメージセンサによって読み取ることで、イメージセンサの初期位置の検出を行うことができる。【選択図】図２
2006148635.tif 000002
【特許請求の範囲】
【請求項１】
透明な原稿台上に置かれた原稿を、原稿台の裏面に配置された画像読み取り用のイメージセンサにより読み取る画像読取装置において、
前記原稿台の上面に白シェーディング用の帯状の白色板が配置され、
前記白色板の幅方向の一部が、前記白色板よりも幅の狭い帯状の有色粘着材により前記原稿台に接着されたことを特徴とする画像読取装置。
【請求項２】
前記有色粘着材は、前記白色板との境界部分を前記イメージセンサで読み取ることにより前記イメージセンサの初期位置を検出可能な程度に着色されたものであることを特徴とする請求項１記載の画像読取装置。
【請求項３】
前記有色粘着材は、有色の両面粘着テープであることを特徴とする請求項１または２に記載の画像読取装置。
【請求項４】
前記有色粘着材は、黒色または濃色であることを特徴とする請求項１から３のいずれかに記載の画像読取装置。
【発明の詳細な説明】
【技術分野】
【０００１】
本発明は、透明な原稿台上に置かれた原稿を、原稿台の裏面に配置された画像読み取り用のイメージセンサにより読み取る画像読取装置に関する。
【背景技術】
【０００２】
プラテンガラス上に置かれた原稿をプラテンガラスの裏面に配置したイメージセンサにより読み取る方式の画像読取装置においては、イメージセンサの初期位置を決めるために、メカニカルスイッチを用いたり、原稿台に設けた位置検出用のマークをイメージセンサにより読み取ったりすることにより、イメージセンサの位置を検出している。また、この種の画像読取装置においては、原稿を照射する光源の光量むらや経年変化による光量低下あるいはイメージセンサのセンサ間の感度のばらつきを補正するため原稿読み取り前に白色板を用いてシェーディングを行う必要がある。
【０００３】
例えば、（特許文献１）に記載の画像読取装置は、原稿を走査して読み取った画像を、電気的な画像信号に変換するイメージセンサと、原稿を照射するための、光量を変化させることができる光源と、白シェーディング用の白色板と、黒シェーディング用の黒色板とを備え、黒色板をイメージセンサにて検出することにより初期位置を決定し、電源投入時の原稿を走査するための光学系の位置初期化処理を行うものである。
【０００４】
図４は従来の画像読取装置のプラテンガラスの裏面図である。
【０００５】
図４に示すように、透明なプラテンガラス１０の上面には、白シェーディング用の白色板１１と黒シェーディング用の黒色板１２とがイメージセンサ（図示せず。）の副走査方向に隣接して配置されている。これらの白色板１１および黒色板１２は、プラテンガラス１０越しにイメージセンサで読み取ることから、白色板１１および黒色板１２とプラテンガラス１０との間に、塵埃等が侵入しないようにその縁部を両面粘着テープ１３を用いて密着させている。
【特許文献１】特開２０００−１１５４７３号公報
【発明の開示】
【発明が解決しようとする課題】
【０００６】
ところが、このように白色板１１および黒色板１２の縁部に両面粘着テープ１３を設けると、白色板１１および黒色板１２の両面粘着テープ１３を貼り付けた部分は白シェーディングあるいは位置検出として使用できないため、白色板１１および黒色板１２の必要読取範囲外に両面粘着テープ１３を貼り付けるための接着代を設ける必要がある。そのため、白色板１１および黒色板１２は白シェーディングあるいは位置検出のために必要以上に大きくなってしまう。
【０００７】
また、図４に示すものでは、白色板１１に黒を印刷して黒色板１２を形成し、かつ両面粘着テープ１３を貼り付けるため部品コストが高くなる。
【０００８】
そこで、本発明においては、イメージセンサの初期位置の検出とシェーディングを行うためのシェーディングシートを簡素化しかつ幅を狭くすることにより、装置自体の副走査方向の小型化を図ることが可能な画像読取装置を提供することを目的とする。
【課題を解決するための手段】
【０００９】
本発明の画像読取装置は、透明な原稿台上に置かれた原稿を、原稿台の裏面に配置された画像読み取り用のイメージセンサにより読み取る画像読取装置において、原稿台の上面に白シェーディング用の帯状の白色板が配置され、白色板の幅方向の一部が、白色板よりも幅の狭い帯状の有色粘着材により原稿台に接着されたことを特徴とする。
【発明の効果】
【００１０】
本発明によれば、白色板によりシェーディングを行うことができるとともに、この白色板を原稿台に接着している有色粘着材をイメージセンサによって読み取ることで、イメージセンサの初期位置の検出を行うことができる。また、この有色粘着材自体により白色板と原稿台とが固定されるので、従来のように縁部に接着代を設ける必要がなく、シェーディングシートの幅を狭くできることにより、装置自体の副走査方向の小型化を図ることができる。さらに、この有色粘着材により白色板と原稿台とが密着し、白色板と原稿台との間に塵埃が侵入することを防止できる。
【発明を実施するための最良の形態】
【００１１】
本願の第１の発明は、透明な原稿台上に置かれた原稿を、原稿台の裏面に配置された画像読み取り用のイメージセンサにより読み取る画像読取装置において、原稿台の上面に白シェーディング用の帯状の白色板が配置され、白色板の幅方向の一部が、白色板よりも幅の狭い帯状の有色粘着材により原稿台に接着されたことを特徴とする画像読取装置である。この発明によれば、白色板によりシェーディングを行うことができるとともに、この白色板を原稿台に接着している有色粘着材をイメージセンサによって読み取ることで、イメージセンサの初期位置の検出を行うことができる。また、この有色粘着材自体により白色板と原稿台とが固定されるので、従来のように縁部に接着代を設ける必要がなく、シェーディングシートの幅を狭くできることにより、装置自体の副走査方向の小型化を図ることができる。さらに、この有色粘着材により白色板と原稿台とが密着し、白色板と原稿台との間に塵埃が侵入することを防止できる。
【００１２】
本願の第２の発明は、上記有色粘着材が、白色板との境界部分をイメージセンサで読み取ることによりイメージセンサの初期位置を検出可能な程度に着色されたものであることを特徴とする。この発明によれば、有色粘着材の色と白色板との色の違いをイメージセンサによって読み取ることで、イメージセンサの初期位置の検出を行うことができる。
【００１３】
本願の第３の発明は、上記有色粘着材が、有色の両面粘着テープであることを特徴とする。この発明によれば、有色の両面粘着テープを白色板に貼り付けるだけで、容易に両面粘着テープと白色板との境界を直線状に形成することができる。これにより、製造工程を簡単にすることができる。
【００１４】
本願の第４の発明は、上記有色粘着材が、黒色または濃色であることを特徴とする。有色粘着材が黒色または濃色であれば、原稿を照射する光源としてＲＧＢ三色のＬＥＤ（Ｌｉｇｈｔ−Ｅｍｉｔｔｉｎｇ  Ｄｉｏｄｅ；発光ダイオード）を用いている場合でも単色の照射により初期位置を検出可能である。
【００１５】
（実施の形態）
図１は本発明の実施の形態における画像読取装置の内部構成を示す要部断面図、図２は図１のＡ部拡大図、図３は図１の画像読取装置におけるプラテンガラスの裏面図である。
【００１６】
図１に示すように、本発明の実施の形態における画像読取装置は、その筐体１内に画像読み取り用のイメージセンサ２を備える。イメージセンサ２は、筐体１の上部に設けられた透明な原稿台としてのプラテンガラス３の裏面側に配置されている。プラテンガラス３上に載置される原稿（図示せず。）は、このプラテンガラス３越しにイメージセンサ２により読み取られる。
【００１７】
イメージセンサ２は、図１の面に対して垂直方向（主走査方向）の１ラインを読み取るラインイメージセンサである。図１はイメージセンサ２が初期位置（ホームポジション）にある状態を示しており、プラテンガラス３越しに原稿の１ラインを読み取るごとに図１の右方向（副走査方向）へと移動する。
【００１８】
イメージセンサ２としては、ＲＧＢ各色のＬＥＤを光源とした光を順に原稿に照射し、反射してきた光をＣＩＳ（Ｃｏｎｔａｃｔ  Ｉｍａｇｅ  Ｓｅｎｓｏｒ；密着イメージセンサ）で順次受光してスキャンするＣＩＳ方式のイメージセンサや、光源から原稿面に光を照射し、反射した光をさらに鏡で反射させ、レンズを通してＣＣＤ（Ｃｈａｒｇｅ  Ｃｏｕｐｌｅｄ  Ｄｅｖｉｃｅ）で受光する方式のイメージセンサ等を使用することができる。
【００１９】
プラテンガラス３の上面には、白シェーディング用の帯状の白色板４が配置されている。白色板４は、図３に示すように、原稿読取範囲Ｒの外側に、その長手方向がイメージセンサ２の主走査方向と同一方向となるように配置されている。図示例では、白色板４は、プラテンガラス３の端部に配置されている。
【００２０】
白色板４は、筐体１の裏面に対して粘着材としての両面粘着テープ５により接着されている。なお、両面粘着テープ５は、筐体１に白色板４を接着して固定できれば良く、他の粘着材を使用することも可能である。また、この白色板４の両面粘着テープ５により接着された面と反対側の面は、その幅方向の一部、例えば半分が、この白色板４よりも幅の狭い帯状の黒色両面粘着テープ６によりプラテンガラス３に接着されている。
【００２１】
なお、黒色両面粘着テープ６としては、例えば、日東電工製の一般用両面接着テープＮｏ．５００ＡＢや、住友スリーエム製の一般用両面接着テープＹ−９４４８ＨＫＢ等を用いることが可能である。これらの黒色両面粘着テープ６は、柔軟性に富む不織布基材の両面に接着性にすぐれたアクリル製感圧性粘着材を塗布したものである。
【００２２】
この構成の画像読取装置では、プラテンガラス３の裏面から白色板４をイメージセンサ２で読み取ることによりシェーディングを行うことができる。また、この白色板４をプラテンガラス３に接着している黒色両面粘着テープ６と白色板４との境界部分をイメージセンサ２によって読み取ることで、イメージセンサ２の初期位置の検出を行うことができる。
【００２３】
また、この黒色両面粘着テープ６自体により白色板４とプラテンガラス３とが固定されるので、従来のように黒色板を別途設ける必要がなく、小型化することができる。さらに、この黒色両面粘着テープ６により白色板４とプラテンガラス３とが密着し、白色板４とプラテンガラス３との間に塵埃が侵入することを防止できる。
【００２４】
なお、上記実施の形態における黒色両面粘着テープ６は、黒色以外にも有色の両面粘着テープを使用することが可能である。要するに、両面粘着テープが、それ自体と白色板４との境界部分をイメージセンサ２で読み取ることにより、イメージセンサ２の初期位置を検出可能な程度に着色されたものであれば良い。特に、黒色または濃色の両面粘着テープを使用すれば、原稿を照射する光源としてＲＧＢ三色のＬＥＤを用いている場合でも単色の照射により初期位置を検出可能である。
【００２５】
また、黒色両面粘着テープ６に代えて、イメージセンサ２にて初期位置を検出可能な程度に着色されたその他の有色の粘着材を使用することも可能である。要するに、有色の粘着材と白色板４との境界を直線状に形成し、イメージセンサ２によってこれらの境界を識別することができれば良い。なお、両面粘着テープ５を用いた場合には、この両面粘着テープ５を白色板４に貼り付けるだけで、容易に両面粘着テープ５と白色板４との境界を直線状に形成することができるので、製造工程を簡単にすることができる。
【産業上の利用可能性】
【００２６】
本発明の画像読取装置は、透明な原稿台上に置かれた原稿を読み取る装置として有用である。特に、本発明の画像読取装置は、イメージセンサの初期位置の検出とシェーディングを行うためのシェーディングシートを簡素化しかつ幅を狭くすることにより装置自体の副走査方向の小型化を図ることが可能な画像読取装置として好適である。
【図面の簡単な説明】
【００２７】
【図１】本発明の実施の形態における画像読取装置の内部構成を示す要部断面図
【図２】図１のＡ部拡大図
【図３】図１の画像読取装置におけるプラテンガラスの裏面図
【図４】従来の画像読取装置のプラテンガラスの裏面図
【符号の説明】
【００２８】
１    筐体
２    イメージセンサ
３    プラテンガラス
４    白色板
５    両面粘着テープ
６    黒色両面粘着テープ
【図１】
2006148635.tif 000003
【図２】
2006148635.tif 000004
【図３】
2006148635.tif 000005
【図４】
2006148635.tif 000006